(57)【要約】【課題】ジャム処理時等に、装置側面側のキャビネットを引き出したときに、装置内に滞留したシート部材を取り出すために、搬送手段を手動で駆動させる操作部材を、操作しやすい箇所に設けた画像形成装置を提供する。【解決手段】シート部材を搬送する搬送手段を有する画像形成装置１のキャビネット２１の開放構造において、画像形成装置１は、前記シート部材を装置内部から取り出す場合に、搬送手段を手動で回動させるための操作部材２７，２８を備え、その操作部材２７，２８を、キャビネット２１ｂの引き出し方向に直交する方向の外部に露出させて設けている。【選択図】  図３
2004294809.tif 000002
【特許請求の範囲】
【請求項１】
シート部材を搬送する搬送手段と、開放可能部分を有するキャビネットと、を備えた装置のキャビネットの開放構造において、
前記シート部材を前記装置内部から取り出す場合に、前記搬送手段を手動で作動させるための操作部材を備え、
前記キャビネットの開放可能部分を開放した時には、その開放方向に直交する方向の外部に、前記操作部材が露出することを特徴とするキャビネットの開放構造。
【請求項２】
前記キャビネットの開放可能部分は、前記装置の動作を操作するための操作部が配設されている装置前面に直交する側に配設され、かつ、前記操作部が配設されている操作部側に、前記操作部材が露出することを特徴とする請求項１に記載のキャビネットの開放構造。
【請求項３】
前記キャビネットの開放可能部分は、前記操作部側のキャビネットの一部分を含むことを特徴とする請求項２に記載のキャビネットの開放構造。
【請求項４】
搬送手段によって搬送されるシート部材の搬送方向に直交する方向のキャビネットの開放可能部分を開放して、前記シート部材を内部から取り出す場合に、前記搬送手段を手動で回動させるための操作部材を備えた装置において、
前記操作部材は、前記キャビネットの開放可能部分を開放した時に、前記開放可能部分の開放方向に対して直交する方向の装置外部に露出されるように、前記シート部材の搬送方向に沿うフレーム部材の端部に近接して配設されることを特徴とするシート部材搬送手段を有する装置。
【請求項５】
前記操作部材が露出される側には、装置本体の動作を操作するための操作部が配設されていることを特徴とする請求項４に記載のシート部材搬送手段を有する装置。
【請求項６】
前記操作部材から前記搬送手段に対して手動による駆動力を伝達するために、前記搬送部材と前記操作部材が伝動手段を介して連動連結されていることを特徴とする請求項４または５に記載のシート部材を搬送する搬送手段を有する装置。
【請求項７】
請求項４ないし６のいずれかに記載の装置が、少なくとも、画像情報に基づいて前記シート部材に画像を形成することを特徴とする画像形成装置。
【請求項８】
画像を形成する像担持体を備え、前記像担持体に形成された画像を搬送されるシート部材に転写後、定着手段で転写された前記画像を前記シート記録材に定着させることで画像形成を行う画像形成装置であって、
前記操作部材は、少なくとも前記像担持体に形成された画像に対する前記シート部材の対応位置を制御するためのレジストローラ対、または、前記定着手段の定着ローラ、のいずれか一方を手動にて駆動可能であることを特徴とする請求項７に記載の画像形成装置。
【発明の詳細な説明】
【０００１】
【発明の属する技術分野】
本発明は、装置のキャビネットの開放構造と、その開放構造を有するプリンタ、ファクシミリ、複写機などの画像形成装置画像形成装置に関する。
【０００２】
【従来の技術】
複写機、プリンタなどの画像形成装置では、装置内の下部に設けられた給紙トレイから搬送経路を介してシート部材（用紙）を画像形成部へ供給する。給紙トレイは、画像形成に使用するシート部材を予め収容しておくものである。この給紙トレイには、通常、画像形成が容易で搬送を良好に行いやすく、頻繁に使用される定型サイズのシート部材が収容されている。
【０００３】
そして、シート部材は、画像形成部にて画像が形成された後、画像形成装置外に排出されるが、近年、画像形成装置の複合化が進展し、複写機能、プリンタ機能、ＦＡＸ機能等を合わせて持つと共に、排出されるシート部材を画像形成機能ごとに仕分けし、使いやすい画像形成システムにすることが望まれている。その実現のために、例えば、画像形成部のシート部材の搬送路から画像形成装置の外部に排出する排出口を装置本体の両側に設け、仕分けを容易にできるように構成した画像形成装置も提案されている。
【０００４】
また、画像形成装置のサイズをコンパクト化したり、設置のための専有面積を小さくして、省スペース化に対処できるようにしている。そのため、画像形成装置の画像形成部の搬送パスが、横向きから縦向きに変化し、最近では、縦向きの搬送パスの画像形成装置が多くなってきている。
【０００５】
このように、画像形成部の搬送パスを縦向きのパスにした場合には、画像形成装置の下部に配設する給紙装置からシート部材を画像形成部に搬送するための搬送パスを短く構成でき、かつ、給紙装置やシート部材を仕分けして積載する排紙トレイ部や後処理装置等を効率よく配置できる利点がある。
【０００６】
しかし、搬送パスが側面側寄りに形成されるために、シート部材の搬送ジャム等が発生した場合には、画像形成装置の正面からではなく、側面からアクセスしなければならないため、側面側のキャビネットを開放してトラブルに対処できるようにしている場合が多い。
【０００７】
従来の画像形成装置では、このように側面側のキャビネットを開放して作業を行うときは、側面側のキャビネットを開放した後に、画像形成部のフレームの内側に設けられた搬送ローラや定着ローラ等の搬送手段を回転させるためのツマミやノブ等の操作部材を回転操作し、搬送パス中に滞留しているシート部材を送り出して取り除くためのジャム処理等の復帰作業を行うようにしている（例えば、特許文献１参照）。
【０００８】
また、その復帰作業を行う際に、先に前面側のキャビネットを開放してしまった場合には、復帰作業を行えなくなるため、例えば、前面側のキャビネットを開放したときには、側面側のキャビネットをも開放して対処しなければならないことが判るようにしている（例えば、特許文献２参照）。
【０００９】
【特許文献１】
特開２００２−２７４６９３号公報（段落「００５０」，「００５２」、図３，図５）
【特許文献２】
特開平１１−１６０９４８号公報（段落「００１１」〜「００１２」，図３）
【００１０】
【発明が解決しようとする課題】
ところが、特許文献１に記載の画像形成装置では、側面側のキャビネットを開放し、装置本体の内側に備えられているツマミやノブ等の操作部材を操作して滞留しているシート部材を搬送パスから送り出す作業は、画像形成装置の前面側から行うため、その装置本体の内側にあるツマミやノブ等を見つけ難いし、その操作も容易ではなかった。
【００１１】
また、特許文献２に記載のように、画像形成装置の前面側からツマミやノブを操作する場合には、ツマミやノブが備えられている位置（回転させなければならない搬送ローラ部材の位置）の関係から前面側のキャビネットを開放しなければならず、前面側のキャビネットと側面側のキャビネットの両方を開放しなければならない。つまり２つの動作を行わなければならないので、復帰のために、少なからぬ手間を要していた。
【００１２】
本発明は、このような実情に鑑みてなされ、ジャム処理等の復帰作業を行う時等に、装置側面側のキャビネットを開放したときに、装置内に滞留したシート部材を取り出すために、搬送手段を手動で駆動させる操作部材を、操作しやすい箇所に設けたキャビネットの開放構造、シート部材搬送手段を有する装置及び画像形成装置を提供することを目的とする。
【００１３】
【課題を解決するための手段】
本発明は、上述の課題を解決するための手段を以下のように構成している。
【００１４】
（１）シート部材を搬送する搬送手段と、開放可能部分を有するキャビネットと、を備えた装置のキャビネットの開放構造において、
前記シート部材を前記装置内部から取り出す場合に、前記搬送手段を手動で作動させるための操作部材を備え、前記キャビネットの開放可能部分を開放した時には、その開放方向に直交する方向の外部に、前記操作部材が露出することを特徴とする。
【００１５】
この構成においては、シート部材が搬送ジャム等を生じて装置内部に滞留した場合等に、そのシート部材を取り出して装置の復帰作業を行う際には、復帰作業を行う操作者が装置に対面する側と直交するキャビネットの開放可能部分を開放すれば、操作部材が操作者の前面に露出するため、その操作部材を容易に操作することができる。また、たとえ、操作者がキャビネットの開放可能部分に対面した位置でその開放可能部分を手前側に開放しても、操作部材が、その開放可能部分に隠れることなく、その開放方向に直交する方向の装置外部に露出するため、操作部材を容易に操作することができる。
【００１６】
（２）前記キャビネットの開放可能部分は、前記装置の動作を操作するための操作部が配設されている装置前面に直交する側に配設され、かつ、前記操作部が配設されている操作部側に、前記操作部材が露出することを特徴とする。
【００１７】
この構成においては、シート部材が搬送ジャム等を生じて装置内部に滞留した場合等に、そのシート部材を取り出して装置の復帰作業を行う際には、操作部が配設されている側面に直交する側のキャビネットの開放可能部分を開放するので、操作部側（装置前面側）、または、開放した開放可能部分に面する側（装置側面側）のいずれの側からでも、操作部材を容易に手動操作することができ、装置内部に滞留しているシート部材を作業性よく装置外に取り出し可能な状態に送り出すことができる。
【００１８】
（３）前記キャビネットの開放可能部分は、前記操作部側のキャビネットの一部分を含むことを特徴とする。
【００１９】
この構成においては、操作部側に対して直交する側のキャビネットの開放可能部分が、操作部側のキャビネットの一部分を含むことにより、その開放可能部分を開放する動作により、操作部側も一部分が開放されるため、操作部材を操作部側に露出させることができ、ジャム処理等の復帰作業を容易に行うことができる。
【００２０】
（４）搬送手段によって搬送されるシート部材の搬送方向に直交する方向のキャビネットの開放可能部分を開放して、前記シート部材を内部から取り出す場合に、前記搬送手段を手動で回動させるための操作部材を備えた装置において、
前記操作部材は、前記キャビネットの開放可能部分を開放した時に、前記開放可能部分の開放方向に対して直交する方向の装置外部に露出されるように、前記シート部材の搬送方向に沿うフレーム部材の端部に近接して配設されることを特徴とする。
【００２１】
この構成においては、シート部材が搬送ジャム等を生じて装置内部に滞留した場合等に、キャビネットの開放可能部分を開放して、そのシート部材を取り出して装置の復帰作業を行う場合に、装置のフレーム部材の端部にフレーム部材の外部に向かって露出している操作部材を容易に操作することができ、作業性よくジャム処理等を行うことができる。
【００２２】
より具体的には、復帰作業を行う操作者が装置に対面する側と直交する側のキャビネットの開放可能部分を開放しても、操作部材が操作者の前面にあるため、その操作部材を容易に操作することができる。また、たとえ、操作者が開放可能部分に対面した位置でその開放可能部分を手前側に開放しても、操作部材が開放可能部分に隠れることなく開放可能部分の開放方向に直交する方向の外部に露出するため、操作部材を容易に操作することができる。
【００２３】
（５）前記操作部材が露出される側には、装置本体の動作を操作するための操作部が配設されていることを特徴とする。
【００２４】
この構成においては、シート部材が搬送ジャム等を生じて装置内部に滞留した場合等に、そのシート部材を取り出し装置の復帰作業を行う時に、操作部が配設されている側と直交する側のキャビネットの開放可能部分を開放した際においても、操作部側に操作部材が露出しているため、操作部材を容易に手動操作でき、装置内部に滞留しているシート部材を作業性よく装置外に取り出すことができる。
【００２５】
（６）前記操作部材から前記搬送手段に対して手動による駆動力を伝達するために、前記搬送部材と前記操作部材が伝動手段を介して連動連結されていることを特徴とする。
【００２６】
この構成においては、搬送部材と前記操作部材が伝動手段を介して連動連結されていることにより、操作部材を、搬送手段の搬送部材から離れた操作性のよい位置に設けることができる。
【００２７】
（７）（４）項ないし（６）項のいずれかに記載の装置が、少なくとも、画像情報に基づいて前記シート部材に画像を形成することを特徴とする。
【００２８】
この構成においては、シート部材が搬送ジャム等を生じて装置内部に滞留した場合等に、そのシート部材を取り出し装置の復帰作業を行う際には、復帰作業を行う操作者が装置に対面する側と直交する側のキャビネットの開放可能部分を開放しても、操作部材が操作者の前面にあるため、その操作部材を容易に操作することができる。また、たとえ、操作者が開放可能部分に対面した位置でその開放可能部分を手前側に開放しても、操作部材が開放可能部分に隠れることがなく、開放可能部分の開放方向に直交する方向の外部に露出するため、操作部材を容易に操作することができる。
【００２９】
（８）画像を形成する像担持体を備え、前記像担持体に形成された画像を搬送されるシート部材に転写後、定着手段で転写された前記画像を前記シート記録材に定着させることで画像形成を行う画像形成装置であって、
前記操作部材は、少なくとも前記像担持体に形成された画像に対する前記シート部材の対応位置を制御するためのレジストローラ対、または、前記定着手段の定着ローラ、のいずれか一方を手動にて駆動可能であることを特徴とする。
【００３０】
この構成においては、操作部材を操作することにより、シート記録材を強い力で挟持して搬送するレジストローラ部材と定着部材の何れか一方あるいは両方を手動にて駆動させることができ、画像形成装置内に搬送ジャム等のトラブルによって滞留しているシート記録材を容易に取り出すことができる。
【００３１】
【発明の実施の形態】
以下に、本発明の実施の形態に係るキャビネットの開放構造およびその構造を有する画像形成装置について詳細に説明する。
【００３２】
《画像形成装置》
図１は画像形成装置１の構成を示す。この画像形成装置１は、プリンタ部（画像形成部）２と、プリンタ部２の下に配置された給紙ユニット部３とを備えている。プリンタ部２の略中央の位置に、感光体ドラム４を中心とする電子写真プロセス部が配置されている。すなわち、感光体ドラム４を中心としてその周囲に、帯電ユニット５と、光走査ユニット６と、現像ユニット７と、転写ユニット８と、クリーニングユニット９とが配置されている。そして、感光体ドラム４の下流側には、転写後の画像を加圧下の加熱により用紙（シート部材）上に定着するための定着ユニット２０が配置されている。
【００３３】
帯電ユニット５は、感光体ドラム４の表面を均一に帯電させる。光走査ユニット６は、均一に帯電された感光体ドラム４上に光像を走査して静電潜像を書き込む。現像ユニット７は、光走査ユニット６により書き込まれた静電潜像を現像剤により顕像化する。転写ユニット８は、感光体ドラム４上に記録再現された画像を記録媒体上に転写する。
【００３４】
クリーニングユニット９は、感光体ドラム４上に残留した現像剤を除去して、感光体ドラム４上に新たな画像を記録できるようにする。このクリーニングユニット９により除去された残留現像剤は、現像ユニット７の現像剤供給部１０に回収され、リサイクルされる。なお、本発明の画像形成装置１は、このように残留現像剤をリサイクルするプロセスを備えているものに限定されるものではなく、回収して廃棄する画像形成装置をも含む。
【００３５】
次に、給紙ユニット部３について説明する。給紙ユニット部３は、複数の給紙トレイ（記録媒体供給部）１１・１２・１３・１４を備えている。これらの給紙トレイ１１〜１４を備えていることにより、給紙ユニット部３は、記録媒体としての多彩な用紙をたとえばサイズ毎に分別して収容することができる。
【００３６】
そして、画像形成装置１は、これらの給紙トレイ１１〜１４の中から１つのトレイを選択する。さらに、この選択されたトレイから用紙を１枚ずつ分離し、感光体ドラム４と転写ユニット８との間に供給する。そして、転写ユニット８は、供給された用紙に、感光体ドラム４上に記録再現された画像を転写する。
【００３７】
ここで、給紙トレイ１１〜１４について、より具体的に説明する。給紙トレイ（第１の記録媒体供給部）１１と給紙トレイ（第２の記録媒体供給部）１２とは、互いに並列配置されている。そして、給紙トレイ１１および給紙トレイ１２の下側に、給紙トレイ１３が配置されており、さらに給紙トレイ１３の下側に給紙トレイ１４が配置されている。
【００３８】
また、給紙トレイ１３および給紙トレイ１４の容量は、同程度の容量とされている。さらに、給紙トレイ１１および給紙トレイ１２の容量は、給紙トレイ１３あるいは給紙トレイ１４の容量よりも大きく設定されている。
【００３９】
そして、給紙ユニット部３は、給紙トレイ１１〜１４に収容された用紙をプリンタ部２に向かって搬送するために、第１搬送経路１５と第２搬送経路１６とを備えている。なお、第１搬送経路１５は、給紙トレイ１１・１３・１４に収容された用紙をプリンタ部２に向かって搬送するものであり、第２搬送経路１６は、給紙トレイ１２に収容された用紙をプリンタ部２に向かって搬送する。
【００４０】
また、第１搬送経路１５は、給紙ユニット部３のフレーム１７に沿って鉛直方向に延びている。一方、第２搬送経路１６は、フレーム１７に沿って水平方向に延びている。したがって、給紙ユニット部３の内部では、給紙トレイ１１〜１４と、第１搬送経路１５と、第２搬送経路１６とが効率よく配置されており、給紙ユニット部３の省スペース化が実現されている。なお、各給紙トレイ１１〜１４に用紙をセットする場合は、画像形成装置１本体の前面側方向に目的の給紙トレイ１１〜１４を引き出して用紙の補給を行う。
【００４１】
ところで、第１搬送経路１５中にて用紙が詰まった場合は、第１搬送経路１５を構成するガイド１５ａ（図中斜線部で示す）を、給紙ユニット部３の奥側を支点としてユーザーの手前側に回動する。これにより、第１搬送経路１５中で詰まった用紙を取り除くことができる。なお、この除去操作は、第１搬送経路１５とフレーム１７との間に予め確保されている作業空間を用いて行う。
【００４２】
また、第２搬送経路１６中にて用紙が詰まった場合も、第２搬送経路１６を構成するガイド１６ａ（図中斜線部で示す）を、給紙ユニット部３の奥側を支点として手前側に回動する。これにより、第２搬送経路１６中で詰まった用紙を取り除くことができる。なお、この除去操作（復帰作業）は、並列配置された給紙トレイ１１および給紙トレイ１２をユーザーの手前側に引き出すことにより、第２搬送経路１６の下方に作業空間を確保した上で行う。
【００４３】
本実施の形態では、給紙トレイ１１・１２を同時に引き出すことができる構成としているが、必ずしもこの構成に限定されるものではなく、それぞれの給紙トレイを独立して引き出せる構成としてもよい。その場合、給紙トレイ１１を手前側に引き出すことにより、第２搬送経路１６中に詰まった用紙を取り除くための作業空間を、第２搬送経路１６の下方に確保すればよい。
【００４４】
第２搬送経路１６の下流側には、比較的少量の用紙がセットされる手差し給紙ユニット（第３の記録媒体供給部、記録媒体供給部）１８を設けている。この手差し給紙ユニット１８には、特殊な用紙がセットされる可能性が高く、手差し給紙ユニット１８に対して手軽に用紙の交換あるいはセットができるようになっている。また、図示していないが給紙ユニット部３の右側に、別の給紙ユニット（第４の記録媒体供給部、記録媒体供給部）を連結してもよい。
【００４５】
〈レジストローラ対〉
感光体ドラム４に形成された画像に対するシート記録材の対応位置を制御するためのレジストローラ部材１９は、プリンタ部２の感光体ドラムの４の搬送方向上流側に位置しており、プリンタ部２に供給された用紙を一時的に停止させ、用紙に撓みを与えることで、レジストローラ対１９に搬送されるまでに傾いた用紙の傾きを矯正し、図示しない制御部からの信号により、感光体ドラム４に形成される画像とのタイミングを計って用紙をスタートさせ、用紙上の正しい位置に画像が転写されるようにする。したがって、用紙の傾きを矯正する時の撓み形成時に用紙がレジストローラ対１９にもぐりこまないように、レジストローラ対１９には強い当接力（挟持力）を付与している。その挟持力は、１．５〜３ｋｇに設定される。
【００４６】
〈定着ユニット〉
定着ユニット２０は、用紙に転写された画像を熱と圧力によって定着させるものであり、内部にヒータランプ等の発熱体を備えた定着ローラ２０ａと、用紙を定着ローラ２０ａに押し付けて搬送するための加圧ローラ２０ｂからなる搬送手段を有し、加圧ローラ２０ｂが、回転駆動される定着ローラ２０ａに強い力で押圧されている。その加圧力は、３〜１０ｋｇに設定される。定着ローラ２０ａは、その表面の温度を検出する温度検出器からの信号により、図示しない制御部によって、所定の温度を保つように制御されている。
【００４７】
〈キャビネットの開放構造〉
画像形成装置１のキャビネットは、プリンタ部（画像形成部）２のキャビネット２１と、プリンタ部２の下に配置された給紙ユニット部３のキャビネット３１と、で構成され、図２に示すように、そのプリンタ部２のキャビネット２１の上面には、排紙トレイ２２が設けられており、その前面には画像形成装置１の動作を操作するための操作部２５が設けられている。
【００４８】
上述のプリンタ部（画像形成部）２のキャビネット２１の前側キャビネット２１ａは装置本体フレームに固定状態に取り付けられているが、ジャム処理時やメンテナンス時のために、図３に示すように、側面側キャビネット（本発明の開放可能部分）２１ｂは、装置本体フレームに設けた案内部材（図示省略）によって略水平方向にガイドされる前後一対のレール部材２６と一体化され、図示左方向に引き出し可能（開放可能）に構成されている。
【００４９】
なお、側面側キャビネット２１ｂと一体に開放される部分は、図１に一点鎖線で囲まれる範囲である。また、図示は省略するが、側面側キャビネット２１ｂは、その下部を、装置本体フレームに回動自在に枢支させ、その上部を、外側方に向けて開くように開放する形式であってもよい。また、開放可能部分は、図２ないし図４に示される側面側キャビネット２１ｂに限られることなく、機種に応じて適宜に選択設定されてよい。
【００５０】
そして、側面側キャビネット２１ｂを引き出した時には、その引き出し方向に直交する方向に向けて装置本体の正面側に露出し、側面側キャビネット２１ｂを装置本体に対して閉じた時に、側面側キャビネット２１ｂの前側フランジ部２１ｃで隠蔽される２つのツマミ（本発明の操作部材）２７，２８を、装置本体の前側フレーム部材２９ａに設けている。
【００５１】
その２つのツマミ２７，２８は、画像形成装置１の縦向きの搬送パスの上流側と下流側に分離されて配置されており、２つのツマミ２７，２８を支持する前側フレーム部材２９ａの中間部は、その外側を覆うカバー部材３０と共に、大きく切欠かれて切欠部ｃが形成され、ジャム処理時（復帰作業時）等のために画像形成装置１の内部に手を差し入れ易い構造にしている。
【００５２】
そして、図４に示すように、上側のツマミ２７は、無端ベルト（本発明の伝動手段）３１を介して定着ローラ駆動プーリ３２に連動連結され、このツマミ２７を回動操作することによって、定着ローラ（本発明の搬送手段）２０ａを正逆いずれの方向にも回動させることができる。また、下側のツマミ２８は、無端ベルト（本発明の伝動手段）３３を介してレジストローラ駆動プーリ３４に連動連結され、このツマミ２８を回動操作することにより、レジストローラ対（本発明の搬送手段）１９を正逆いずれの方向にも回動させることができる。
【００５３】
このように、２つのツマミ２７，２８を配設したことで、ジャム処理時（復帰作業時）等に、側面側キャビネット２１ｂを画像形成装置１から引き出した時に、そのツマミ２７，２８が装置本体の前面側に露出するため、操作者が前面側から容易に操作することができる。また、たとえ、操作者が、側面側から側面側キャビネット２１ｂを引き出した場合でも、その位置から、いずれのツマミ２７，２８をも容易に操作することができる。
【００５４】
上述の定着ローラ２０ａを回動させるための駆動機構は、図５に示される。図示のように、上側のツマミ２７の支軸２７ｂは前側フレーム部材２９ａに回動自在に枢支され、そのツマミ２７の内側に一体的に形成された駆動プーリ２７ａが、無端ベルト３１を介して被動プーリ３５に連動連結されている。
【００５５】
その被動プーリ３５が、前側フレーム部材２９ａと後側フレーム２９ｂに回動自在に枢支された駆動軸３６の一端に固定されている。そして、駆動軸３６の他端側に固定された第１連結歯車３７が、第２連結歯車３８を介して、定着ローラ２０ａの支軸の一端に固定された被動歯車３９に連動連結されている。
【００５６】
このような構成により、ツマミ２７を正逆方向に回動操作することで、定着ローラ２０ａを正逆いずれの方向へも回動させることができる。なお、下側のツマミ２８は、その内側に一体的に形成された駆動プーリ（図示省略）が、無端ベルト４０を介して、レジストローラ駆動プーリ４１に連動連結され、そのツマミ２８を正逆方向に回動操作することで、レジストローラ対１９を正逆いずれの方向へも回動させることができる。
【００５７】
この上側のツマミ２７は、画像形成装置１の後側に位置する定着ユニット２０の定着ローラ回転駆動部に対して、図５に示すような複数の伝達部材（歯車，駆動軸，プーリ，ベルト等の伝動手段）を介して、駆動力を伝達するため、定着部からの発熱の影響を受けにくく、温度の異常な上昇がなく、安全かつ容易に回動操作することができる。
【００５８】
また、これらのツマミ２７，２８は、その外径を大とすることで、小さなトルクで定着ローラ２０ａやレジストローラ対１９を手動にて楽に回転できるように、駆動力伝達部の減速比を設定することができる。従って、定着ローラ２０ａやレジストローラ対１９に動力源が連結されている場合であっても動力源を切り離さずに手動で容易に回転させることができる。
【００５９】
なお、手動にて操作する場合に動力源側を切り離す機構を設ければ、より一層操作性が向上する。また、ツマミ２７，２８の形状は、指が掛かりやすいように大き目の粗い凹凸を設け（略星型形状）、大きさは自然につかめる大きさに設定するのが好ましい。
【００６０】
そして、ツマミ２７，２８が、前側フレーム部材２９ａの外側に配設されていることから、その前側フレーム部材２９ａを樹脂製のカバー部材３０で覆うことで、前側フレーム部材２９ａの内側に収納されている定着ユニット２０からの放射熱を効果的に遮断することができるため、ツマミ２７の温度上昇を効果的に防ぐことができる。
【００６１】
図１に示す画像形成装置１は、原稿を読み取り画像データに変換するための画像読取装置を具備していないが、本発明は、画像形成装置の上部に画像読取装置を設けた構成であってもよく、その場合には、例えば、画像読取装置の前面側に設けた操作部によって画像形成システムの操作を行うように構成されていればよい。
【００６２】
また、本発明のキャビネットの開放構造は、少なくとも、シート部材を搬送する搬送手段を有する装置のキャビネットであれば、その構成や形式、用途等の如何を問わず適用することができる。さらに、本発明のシート部材搬送手段を有する装置は、少なくとも、シート部材を搬送する搬送手段を有する装置のキャビネットの前記搬送手段の搬送部材の支軸に平行な部分を開放し、前記シート部材を前記装置から手動で取り出す場合に、前記搬送手段を手動で回動させるための操作部材を備えた装置であれば、その構成や形式、用途等の如何を問わず適用することができる。
【００６３】
【発明の効果】
以上の説明から明らかなように、本発明は、以下の効果を奏する。
【００６４】
（１）シート部材が搬送ジャム等を生じて装置内部に滞留した場合等に、そのシート部材を取り出して装置の復帰作業を行う際には、復帰作業を行う操作者が装置に対面する側と直交するキャビネットの開放可能部分を開放すれば、操作部材が操作者の前面にあるので、その操作部材を容易に操作することができる。また、たとえ、操作者がキャビネットの開放可能部分に対面した位置でその開放可能部分を手前側に開放しても、操作部材がその開放可能部分に隠れることなく、その開放方向に直交する方向の装置外部に露出するので、操作部材を容易に操作することができる。
【００６５】
（２）シート部材が搬送ジャム等を生じて装置内部に滞留した場合等に、そのシート部材を取り出して装置の復帰作業を行う場合に、操作部が配設されている側面に直交する側のキャビネットの開放可能部分を開放するので、操作部側（装置前面側）、または、開放した開放可能部分に面する側（装置側面側）のいずれの側からでも、操作部材を容易に手動操作することができ、装置内部に滞留しているシート部材を作業性よく装置外に取り出し可能な状態に送り出すことができる。
【００６６】
（３）操作部側に対して直交する側のキャビネットの開放可能部分が、操作部側のキャビネットの一部分を含むので、その開放可能部分を開放する動作により、操作部側も一部分が開放されるため、操作部材を操作部側に露出させることができ、復帰作業を容易に行うことができる。
【００６７】
（４）シート部材が搬送ジャム等を生じて装置内部に滞留した場合等に、キャビネットの開放可能部分を開放して、そのシート部材を取り出して装置の復帰作業を行う場合に、装置のフレーム部材の端部にフレーム部材の外部に向かって露出している操作部材を容易に操作することができ、作業性よくジャム処理を行うことができる。すなわち、復帰作業を行う操作者が装置に対面する側と直交する側のキャビネットの開放可能部分を開放しても、操作部材が操作者の前面にあるため、その操作部材を容易に操作することができる。また、たとえ、操作者が開放可能部分に対面した位置でその開放可能部分を手前側に開放しても、操作部材が開放可能部分に隠れることがなく開放可能部分の開放方向に直交する方向の外部に露出するため、操作部材を容易に操作することができる。
【００６８】
（５）シート部材が搬送ジャム等を生じて装置内部に滞留した場合等に、そのシート部材を取り出し装置の復帰作業を行う時に、操作部が配設されている側と直交する側のキャビネットの開放可能部分を開放した際においても、操作部側に操作部材が露出しているので、操作部材を容易に手動操作でき、装置内部に滞留しているシート部材を作業性よく装置外に取り出すことができる。
【００６９】
（６）搬送部材と前記操作部材が伝動手段を介して連動連結されているので、操作部材を、搬送手段の搬送部材から離れた操作性のよい位置に設定することができる。
【００７０】
（７）シート部材に画像を形成する画像形成装置において、シート部材が搬送ジャム等を生じて装置内部に滞留した場合等に、そのシート部材を取り出し装置の復帰作業を行う際には、復帰作業を行う操作者が装置に対面する側と直交する側のキャビネットの開放可能部分を開放しても、操作部材が操作者の前面にあるため、その操作部材を容易に操作することができる。また、たとえ、操作者が開放可能部分に対面した位置でその開放可能部分を手前側に開放しても、操作部材が開放可能部分に隠れることがなく、開放可能部分の開放方向に直交する方向の外部に露出するため、操作部材を容易に操作することができる。
【００７１】
（８）この画像形成装置は、操作部材を操作することにより、シート記録材を強い力で挟持して搬送するレジストローラ部材と定着部材の何れか一方あるいは両方を手動にて駆動させることができるので、画像形成装置内に搬送ジャム等のトラブルによって滞留しているシート記録材を容易に取り出すことができる。
【図面の簡単な説明】
【図１】本発明の実施形態に係る画像形成装置の構成説明図である。
【図２】同画像形成装置の斜視図である。
【図３】同画像形成装置のキャビネットを開放した状態の斜視図である。
【図４】同画像形成装置のカバー部材を取り除いた状態の斜視図である。
【図５】同操作部材と搬送部材とを連動連結する伝動手段の構成図である。
【符号の説明】
４−像担持体
１９，２０ａ−搬送手段
２１ｂ−キャビネット
２５−操作部
２７，２８−操作部材
２９ａ−フレーム部材
３１，３３−伝動手段
【図１】
2004294809.tif 000003
【図２】
2004294809.tif 000004
【図３】
2004294809.tif 000005
【図４】
2004294809.tif 000006
【図５】
2004294809.tif 000007